(57)【要約】【課題】複数の画像形成条件を効率的に管理する。【解決手段】画像形成の際にプリントジョブに対して適用する機能及び条件からなる画像形成条件を記憶する画像形成条件メモリと、画像形成条件を画像形成条件メモリに記憶させる操作、あるいは、画像形成条件メモリに記憶された画像形成条件を読み出す操作がなされる操作手段と、画像形成条件メモリに記憶された画像形成条件のうち、操作手段により読み出された画像形成条件をプリントジョブに適用して画像形成を実行する制御手段と、制御手段の制御に基づいて各種表示を行う表示手段と、を備え、制御手段は、画像形成条件を画像形成条件メモリに記憶させる際には該画像形成条件に属性データを付与し、画像形成条件を画像形成条件メモリから読み出す際には該画像形成条件に付与された属性データを参照して表示手段に画像形成条件の表示を行う。【選択図】　　　図１
2004117969.tif 000002
【特許請求の範囲】
【請求項１】
画像形成の際にプリントジョブに対して適用する機能及び条件からなる画像形成条件を記憶する画像形成条件メモリと、
前記画像形成条件を前記画像形成条件メモリに記憶させる操作、あるいは、前記画像形成条件メモリに記憶された画像形成条件を読み出す操作がなされる操作手段と、
前記画像形成条件メモリに記憶された画像形成条件のうち、前記操作手段により読み出された画像形成条件をプリントジョブに適用して画像形成を実行する制御手段と、
前記制御手段の制御に基づいて各種表示を行う表示手段と、を備え、
前記制御手段は、前記画像形成条件を前記画像形成条件メモリに記憶させる際には該画像形成条件に属性データを付与し、前記画像形成条件を前記画像形成条件メモリから読み出す際には該画像形成条件に付与された属性データを参照して前記表示手段に前記画像形成条件の表示を行う、
ことを特徴とする画像形成装置。
【請求項２】
前記制御手段は、前記画像形成条件を前記画像形成条件メモリに記憶させる際には該画像形成条件に対して複数の属性データを付与しておき、
前記画像形成条件を前記画像形成条件メモリから読み出す際には該画像形成条件に付与された複数の属性により検索を行って前記表示手段に前記画像形成条件の表示を行う、
ことを特徴とする請求項１記載の画像形成装置。
【発明の詳細な説明】
【０００１】
【発明の属する技術分野】
本発明は画像形成装置に関し、特に、複数の画像形成条件を画像形成条件メモリに記憶している場合に、効率的な画像形成条件の管理が可能な画像形成装置に関する。
【０００２】
【従来の技術】
複写機などにおいて、画像形成条件メモリを備えていて、濃度、倍率、紙サイズ、色調整などの各種の各種機能および条件の組み合わせからなる画像形成条件を蓄積できるように構成されたものが登場している。
【０００３】
すなわち、この種の画像形成装置では、使用頻度の高い複数の機能および条件の組み合わせからなる画像形成条件を「画像形成条件ファイル」として画像形成条件メモリに登録しておき、必要なときに細かな設定操作をせずに画像形成条件メモリから簡単に呼び出すことが可能に構成されている。すなわち、画像形成の際には、読み出した画像形成条件ファイルをプリントジョブに適用して、所望の状態の画像形成を迅速に実現するようにしている。
【０００４】
図１２は画像形成装置のハードキー部分のキー配置を示す説明図である。このハードキーとしては、「コピースタートキー」、「テンキー」等のほかに、「画像形成条件メモリキー」（図１２▲１▼）が設けられている。
【０００５】
この画像形成条件メモリキーを押下すると、図１３のような画像形成条件メモリモードの表示画面として、ユーザが登録した画像形成条件の一覧画面が、タッチパネルと一体に構成されたＬＣＤに表示される。なお、タッチパネルとＬＣＤ１とは電気的には分かれているが、機械的には重ねて配置されている。したがって、ＬＣＤで表示されている位置でタッチパネルを押下して操作することで、所定のボタンを押下したと等しい状態が生成される。
【０００６】
この図１３の画像形成条件メモリモードの一覧画面において、ユーザは、使用頻度の高い機能および条件の組み合わせからなる画像形成条件を登録したり、あるいは、既に登録してある画像形成条件を読み出して画像形成に使用したりする。
【０００７】
なお、多数の画像形成条件が登録されている場合の管理のために、登録日や使用頻度を用いるものがあり、たとえば、以下の特許文献１が該当する。
【０００８】
【特許文献１】
特開平７−１３６６７号公報
【０００９】
【発明が解決しようとする課題】
図１３の画像形成条件メモリモードの一覧画面では、登録されている画像形成条件について個々に名前が付けられているため、その名前を頼りに内容を推定し、判断しなければならない。
【００１０】
このため、複数のユーザが使用する場合、それぞれで同じような用途に対して似たような名前を付けしまったために、登録されている画像形成条件の内容を判断しにくくなることがある。
【００１１】
また、同一のユーザであっても、色々な用途で使用する画像形成条件の内容について、名前だけからでは判断しにくい場合もありうる。たとえば、ある条件についてのテストコピーと、別な条件についてのテストコピーなどの場合が該当する。
【００１２】
すなわち、登録数が多くなってくると、所望の画像形成条件を探し出すのが困難になる問題がある。このような場合では、登録日や使用頻度を用いたとしても、内容を正確に把握することができない問題がある。
【００１３】
本発明は以上の課題に鑑みてなされたものであって、複数の画像形成条件を効率的に管理することが可能な画像形成装置を実現することを目的とする。
【００１４】
【課題を解決するための手段】
すなわち、上記の課題を解決する手段としての本願発明は以下に述べるようなものである。
【００１５】
（１）請求項１記載の発明は、画像形成の際にプリントジョブに対して適用する機能及び条件からなる画像形成条件を記憶する画像形成条件メモリと、前記画像形成条件を前記画像形成条件メモリに記憶させる操作、あるいは、前記画像形成条件メモリに記憶された画像形成条件を読み出す操作がなされる操作手段と、前記画像形成条件メモリに記憶された画像形成条件のうち、前記操作手段により読み出された画像形成条件をプリントジョブに適用して画像形成を実行する制御手段と、前記制御手段の制御に基づいて各種表示を行う表示手段と、を備え、前記制御手段は、前記画像形成条件を前記画像形成条件メモリに記憶させる際には該画像形成条件に属性データを付与し、前記画像形成条件を前記画像形成条件メモリから読み出す際には該画像形成条件に付与された属性データを参照して前記表示手段に前記画像形成条件の表示を行う、ことを特徴とする画像形成装置である。
【００１６】
この発明では、画像形成条件を画像形成条件メモリに記憶させる際には該画像形成条件に属性データを付与しておき、画像形成条件を画像形成条件メモリから読み出す際には該画像形成条件に付与された属性データを参照して表示手段に画像形成条件の表示を行うようにしている。
【００１７】
このため、複数のユーザが使用する場合や、同一ユーザが色々な用途で使用する場合など、画像形成条件毎に適した属性を付与しておくことで、登録されている画像形成条件を読み出す際にも属性から画像形成条件の内容を判断することが容易になる。すなわち、複数の画像形成条件を効率的に管理することが可能な画像形成装置を実現できる。
【００１８】
（２）請求項２記載の発明は、前記制御手段は、前記画像形成条件を前記画像形成条件メモリに記憶させる際には該画像形成条件に対して複数の属性データを付与しておき、前記画像形成条件を前記画像形成条件メモリから読み出す際には該画像形成条件に付与された複数の属性により検索を行って前記表示手段に前記画像形成条件の表示を行う、ことを特徴とする請求項１記載の画像形成装置である。
【００１９】
この発明では、画像形成条件を画像形成条件メモリに記憶させる際には該画像形成条件に対して複数の属性データを付与しておき、画像形成条件を画像形成条件メモリから読み出す際には該画像形成条件に付与された複数の属性により検索を行って表示手段に画像形成条件の表示を行うようにしている。
【００２０】
このため、複数のユーザが使用する場合や、同一ユーザが色々な用途で使用する場合など、画像形成条件毎に適した複数の属性を付与しておくことで、登録されている画像形成条件を読み出す際にも属性の組み合わせから画像形成条件の内容を判断することが容易になる。すなわち、複数の画像形成条件を効率的に管理することが可能な画像形成装置を実現できる。
【００２１】
【発明の実施の形態】
以下、図面を参照して本発明の実施の形態例を詳細に説明する。なお、以下の実施の形態例では、画像形成装置を具体例にして説明する。同様に、画像形成方法としては画像形成装置の動作により説明する。
【００２２】
図１は本発明の第１の実施の形態例の構成を示すブロック図である。この図１において、１００は内蔵するスキャナで読み取った画像データについて画像形成による出力（プリント出力）を行う機能を有すると共に、画像形成条件を画像形成条件メモリに記憶する操作、あるいは、画像形成条件メモリに記憶された画像形成条件を読み出す操作がなされる際に、画像メモリに記憶された画像形成条件をフォルダ毎に表示手段に表示する機能を有する画像形成装置である。これらの機能は、制御手段としての本体制御部１０１が有する。
【００２３】
また、画像形成装置１００において、１０１は画像形成装置１００各部を制御する制御手段としての本体制御部、１０２は装置の各種操作の入力がなされると共に各種表示を行う操作表示部、１０３は画像形成装置１００の画像形成条件を含む各種データを蓄積しておくためのテーブルとしての不揮発性メモリ、１０４は原稿画像を読み取って画像データを生成するスキャナ、１０５はスキャナからの画像データに画像処理を施す画像処理部、１０６は画像を記録紙上に形成して出力するプリントエンジン、である。
【００２４】
また、画像形成装置１００から出力された記録紙について仕分けやステープル処理などの後処理を行う後処理装置１１０では、後処理制御部１１１の指示に従って、後処理部１１２が各種後処理を実行する。
【００２５】
なお、不揮発性メモリ１０３は、請求項における画像形成条件メモリとしての機能を有している。また、本体制御部１０１は、操作表示部１０２により指定されて読み出された画像形成条件をプリントジョブに適用して画像形成を実行する制御手段としての機能を有している。
また、この画像形成装置１００は、複写機、ファクシミリ装置、プリンタなどの各種の装置が該当する。また、プリントエンジン１０６は、レーザビームを用いる電子写真方式のもののほか、ＬＥＤプリントヘッドを用いるものや、インクジェット方式のものでもよい。
【００２６】
以上のような画像形成装置において、本実施の形態例の特徴部分の動作について、図２および図３のフローチャート、ならびに、図４以降の画面表示例の説明図を参照して動作説明を行う。なお、以下の実施の形態例の動作説明では、本体制御部１０１と、不揮発性メモリ１０３に格納されているプログラムによる制御や動作を、単に本体制御部１０１の制御という言い方で説明する。
【００２７】
すなわち、この画像形成装置１００では、画像形成の際にプリントジョブに対して適用する機能及び条件（濃度、倍率、紙サイズ、色調整、トレイ選択など）の組み合わせからなる画像形成条件を画像形成条件ファイルとして、画像形成条件メモリである不揮発性メモリ１０３に登録しておき、必要なときに細かな設定操作をせずに画像形成条件メモリである不揮発性メモリ１０３から簡単に呼び出すことが可能に構成されている。
【００２８】
〈画像形成条件の登録〉
画像形成条件の登録の際には、ユーザは、操作表示部１０２のハードキーに設けられた画像形成条件メモリキー（図１２▲１▼参照）を押下する。これにより、本体制御部１０１は、図４（ａ）の画像形成条件メモリモードの初期画面を、タッチパネルと一体に構成されたＬＣＤに表示する。つぎに、ユーザは、画像形成条件メモリモードの初期画面の下部の「画像形成条件登録」のキーを押下する（図２Ｓ１）。このような操作が操作表示部１０２からなされることにより、本体制御部１０１は、画像形成条件登録モードとして各部を制御する。
【００２９】
なお、タッチパネルとＬＣＤ１とは電気的には分かれているが、機械的には重ねて配置されている。したがって、ＬＣＤで表示されている位置でタッチパネルを押下して操作することで、所定のボタンを押下したと等しい状態が生成される。
【００３０】
また、図４（ａ）のような画像形成条件メモリモードの初期画面として、ユーザが登録した画像形成条件を格納するフォルダ（本実施の形態例では上位属性）の一覧が選択画面として、タッチパネルと一体に構成されたＬＣＤに表示される。なお、このフォルダに付された名称（ユーザ名など）も、本実施の形態例における画像形成条件の「属性」の一部を構成している。
【００３１】
この図４（ａ）では、画像形成条件を検索あるいは表示する際のフォルダとして扱われる上位属性として、“ＳＵＺＵＫＩ”、“ＴＡＮＡＫＡ”、“ＳＡＴＯＨ”、“ＳＡＩＴＯＨ”、が既にいずれかの画像形成条件ファイルに対して作成されている様子を示している。なお、以上の上位属性は、ユーザ毎に作成するようにしてもよいし、同一ユーザが目的毎に作成するようにしてもよい。そのため、上位属性の名称は、ユーザ名であってもよいし、任意の名称であってもよいし、いずれの場合も、画像形成条件に付される属性の一部を構成している。
【００３２】
すなわち、本実施の形態例では、本体制御部１０１の制御によって、画像形成条件ファイルを検索あるいは表示する際に、後述する上位属性がメインのフォルダとして扱われ、下位属性がサブフォルダとして扱われる。
【００３３】
また、図４の画像形成条件初期画面において、“ＳＵＺＵＫＩ”、“ＴＡＮＡＫＡ”、“ＳＡＴＯＨ”、“ＳＡＩＴＯＨ”、の４フォルダのうちのいずれかについて、１〜４の番号をテンキーで選択するか、あるいは、４つのフォルダの表示部分のいずれかを押下すると、本体制御部１０１は不揮発性メモリ１０３を参照して、該当するフォルダ（上位属性）内の画像形成条件を検索し、その画像形成条件の一覧を操作表示部１０２のＬＣＤに表示する。
【００３４】
図４（ｂ）は、選択画面においてフォルダ（上位属性）“ＳＵＺＵＫＩ”を選択した場合であって、そのフォルダについて登録されている１つのサブフォルダ（下位属性）“Ｐｕｎｃｈ”と、３つの画像形成条件ファイルとして“ＡＢＣ　ＣＯＲＰＯＲＡＴＩＯＮ”、“ＭＡＩＬ”、“ＤＥＦ　ＣＯＭＰＡＮＹ”、の存在が表示された状態を示している。
【００３５】
ここで、ユーザが新たな画像形成条件を作成する場合には、図４（ａ）の初期画面から登録を開始することも可能であるし、また、図４（ｂ）や図４（ｃ）のように、既に登録された画像形成条件を見てから新たな画像形成条件を作成することも可能である。
【００３６】
以上の「画像形成条件登録」の操作（図２Ｓ１）により、本体制御部１０１は、ユーザから指定される機能および条件の組み合わせからなる画像形成条件を不揮発性メモリ１０３に登録するための動作を行う（図２Ｓ２）。このため、本体制御部１０１は、操作表示部１０２に対して、図５〜図１０のような設定登録画面で機能別に表示を行う。
【００３７】
ここで、図５〜図９はそれぞれの画面右下部の上下矢印キーによって交互に往復できる例を示している。なお、図５は基本機能設定、図６は原稿設定、図７は画質調整設定、図８は画質調整設定、図９は応用機能設定、図１０はトレイ設定である。本実施の形態例では、これらのそれぞれの機能および条件をを組み合わせた状態で、画像形成条件として登録することが可能である。また、図５〜図９の画面下部の「トレイ設定確認」キーを押下することで、図１０のトレイ設定確認画面が表示される。
【００３８】
これら図５〜図１０の各画面で、「設定変更」のキーを押下することで、ユーザはそれぞれの画像形成条件の設定を変更することが可能に構成されている。また、図５〜図９の画面右下部の「終了」キーを押下することで、機能および条件の組み合わせからなる画像形成条件の選択を終了する（図２Ｓ３でＹ）。
【００３９】
この後、以上のようにして組み合わされた画像形成条件に対して、属性入力画面（図示せず）を用いて、ユーザは操作表示部１０２を介して属性データを付与する（図２Ｓ４）。この属性としては、画像形成条件作成者氏名、画像形成条件作成日時、画像形成動作モード、機能や条件の種類、機能や条件の用途、などが挙げられる。また、以上の属性データは、アルファベットや数字などで表記されることが好ましい。また、以上の属性データとしては、単一でもよいが、複数の組み合わせでもよい（図２Ｓ４、Ｓ５）。また、複数の属性データを用いる場合には、上位属性と下位属性とを定めることも、後述する検索の点から好ましい。
【００４０】
そして、この後、以上のようにして属性データが付与された画像形成条件に対して、ファイル名入力画面（図示せず）を用いて、ユーザは操作表示部１０２から任意のファイル名を入力する（図２Ｓ６）。このファイル名は、アルファベットや数字などで表記されることが好ましい。以上のようにして操作表示部１０２からファイル名が入力された画像形成条件を、本体制御部１０１は、付与された属性データと関連づけつつ画像形成条件ファイルとして不揮発性メモリ１０３に格納する（図２Ｓ７）。
【００４１】
なお、この実施の形態例の説明においては、図４（ｂ）と図４（ｃ）とに示す例では、上位属性データ“ＳＵＺＵＫＩ”に対して、“ＡＢＣ　ＣＯＲＰＯＲＡＴＩＯＮ”、“ＭＡＩＬ”、“ＤＥＦ　ＣＯＭＰＡＮＹ”というファイル名の３つの画像形成条件ファイルが登録されている様子を示している。また、図４（ｂ）と図４（ｃ）とに示す例では、上位属性データ“ＳＵＺＵＫＩ”、下位属性データ“Ｐｕｎｃｈ”に対して、“Ｓｔａｐｌｅ”、“Ｚ−Ｆｏｌｄ”、“Ｃｏｖｅｒ”、“Ｓｈｉｆｔ”というファイル名の４つの画像形成条件ファイルが登録されている様子を示している。なお、この図４における階層構造のような表示については、以下の検索・適用の部分で説明する。
【００４２】
〈画像形成条件の検索、プリントジョブへの適用〉
また、画像形成条件をプリントジョブに適用する際には、本体制御部１０１は画像形成条件ファイルに付されている上位属性を検索（図３Ｓ１）し、図４（ａ）のような画像形成条件メモリモードの初期画面として、上位属性をタッチパネルと一体に構成されたＬＣＤに表示する（図３Ｓ２）。
【００４３】
図４（ａ）では、画像形成条件ファイルを格納するフォルダとしての上位属性として、“ＳＵＺＵＫＩ”、“ＴＡＮＡＫＡ”、“ＳＡＴＯＨ”、“ＳＡＩＴＯＨ”、の４つの名称の上位属性が既に作成されている様子を示している。
【００４４】
すなわち、本実施の形態例では、本体制御部１０１の制御によって、画像形成条件ファイルに付された上位属性がメインのフォルダとして扱われ、そのフォルダの中に下位属性のサブフォルダや、下位属性が付されていない画像形成条件ファイルが包含されている。
【００４５】
ここで、図４（ａ）の画像形成条件初期画面において、“ＳＵＺＵＫＩ”、“ＴＡＮＡＫＡ”、“ＳＡＴＯＨ”、“ＳＡＩＴＯＨ”、の４つの上位属性のうちのいずれかについて、１〜４の番号をテンキーで選択するか、あるいは、４つの上位属性の表示部分のいずれかを押下すると（図３Ｓ３でＹ）、本体制御部１０１は不揮発性メモリ１０３を参照して、該当する上位属性内の下位属性あるいは画像形成条件ファイルを検索し（図３Ｓ４）、該当する下位属性あるいは画像形成条件ファイルの一覧を操作表示部１０２のＬＣＤに表示する（図３Ｓ５）。
【００４６】
図４（ｂ）は、上位属性選択画面において上位属性“ＳＵＺＵＫＩ”を選択した場合であって、その上位属性について登録されている１つの下位属性“Ｐｕｎｃｈ”と、３つの画像形成条件ファイルとして“ＡＢＣ　ＣＯＲＰＯＲＡＴＩＯＮ”、“ＭＡＩＬ”、“ＤＥＦ　ＣＯＭＰＡＮＹ”、の存在が表示された状態を示している。すなわち、図４（ｂ）は、下位属性・画像形成条件選択画面である。なお、“Ｐｕｎｃｈ”の表示の頭の部分には、“Ｐｕｎｃｈ”がサブフォルダであって更に下位に画像形成条件ファイルが存在する旨のマークが付されている。また、３つの画像形成条件ファイルには、属性として“ＳＵＺＵＫＩ”のみが付されていたため、この位置に表示されている。
【００４７】
ここで、図４（ｂ）の下位属性・画像形成条件選択画面において、下位属性である“Ｐｕｎｃｈ”の表示部分を押下して選択すると（図３Ｓ６）、本体制御部１０１は不揮発性メモリ１０３を参照して、該当する下位属性内の画像形成条件ファイルを検索し（図３Ｓ８）、図４（ｃ）のように該当する画像形成条件ファイルの一覧を操作表示部１０２のＬＣＤに表示する（図３Ｓ９）。
【００４８】
この図４（ｃ）に示す例では、上位属性データ“ＳＵＺＵＫＩ”、下位属性データ“Ｐｕｎｃｈ”に対して、“Ｓｔａｐｌｅ”、“Ｚ−Ｆｏｌｄ”、“Ｃｏｖｅｒ”、“Ｓｈｉｆｔ”というファイル名の４つの画像形成条件ファイルが登録されている様子を示している。
【００４９】
たとえば、画像形成条件ファイル“Ｓｈｉｆｔ”部分の表示を押下することで選択し（図３Ｓ１０）、画面右下部分の“ＯＫ”を押下すると、本体制御部１０１は、画像形成条件ファイル“Ｓｈｉｆｔ”を、プリントジョブに対して適用して画像形成を実行する（図３Ｓ１１）。この際、本体制御部１０１は、基本画面（図１１）を表示するように制御する。
【００５０】
また、図４（ｂ）の下位属性・画像形成条件選択画面において、下位属性である“Ｐｕｎｃｈ”を選択せず（図３Ｓ６でＮ）、画像形成条件ファイル“ＡＢＣ　ＣＯＲＰＯＲＡＴＩＯＮ”、“ＭＡＩＬ”、“ＤＥＦ　ＣＯＭＰＡＮＹ”などの表示を押下することで選択し（図３Ｓ１０）、画面右下部分の“ＯＫ”を押下しても、本体制御部１０１は、選択された画像形成条件ファイルをプリントジョブに対して適用して画像形成を実行する（図３Ｓ１１）。この際、本体制御部１０１は、基本画面（図１１）を表示するように制御する。
【００５１】
なお、以上の説明では、属性が１段階の画像形成条件ファイルと、属性が２段階（上位と下位）の画像形成条件ファイルとを用いて説明したが、これに限定されるものではない。すなわち、３段階以上の属性を設定することも可能である。
【００５２】
また、上位属性についても、ここではユーザ名を使用した例を示しているが、これに限定されるものではなく、用途や機能を上位属性として設定することも可能である。
【００５３】
以上説明したように、この実施の形態例では、画像形成条件ファイルを画像形成条件メモリに記憶させる際には、該画像形成条件ファイルに属性データを付与しておき、画像形成条件ファイルを画像形成条件メモリから読み出す際には該画像形成条件ファイルに付与された属性データを参照して画像形成条件の表示を行うようにしている。すなわち、画像形成条件に付与された属性データをフォルダの如く扱って表示や検索を行うことで、登録されている画像形成条件ファイルを読み出す際にも属性から画像形成条件の内容を判断することが容易になる。すなわち、複数の画像形成条件を効率的に管理することが可能な画像形成装置を実現できる。
【００５４】
また、画像形成条件ファイルに付与された属性データをフォルダの如く扱って表示や検索を行うことで、不揮発性メモリ１０３上での画像形成条件ファイルの管理をフォルダ単位の管理とする必要がなくなる。
【００５５】
〈その他の実施の形態例〉
以上は画像形成条件ファイルの登録（新規作成）と適用であったが、画像形成条件ファイルの内容を確認・修正したり、削除したりすることも可能である。その場合には、画像形成条件ファイルを選択した後に、画面下部の“画像形成条件確認”、“画像形成条件削除”を押下することで対処することができる。
【００５６】
【発明の効果】
以上、実施の形態例により詳細に説明したように、本発明によれば、以下のような効果が得られる。
【００５７】
（１）請求項１記載の発明では、画像形成条件を画像形成条件メモリに記憶させる際には該画像形成条件に属性データを付与しておき、画像形成条件を画像形成条件メモリから読み出す際には該画像形成条件に付与された属性データを参照して表示手段に画像形成条件の表示を行うようにしている。このため、複数のユーザが使用する場合や、同一ユーザが色々な用途で使用する場合など、画像形成条件毎に適した属性を付与しておくことで、登録されている画像形成条件を読み出す際にも属性から画像形成条件の内容を判断することが容易になる。すなわち、複数の画像形成条件を効率的に管理することが可能な画像形成装置を実現できる。
【００５８】
（２）請求項２記載の発明では、画像形成条件を画像形成条件メモリに記憶させる際には該画像形成条件に対して複数の属性データを付与しておき、画像形成条件を画像形成条件メモリから読み出す際には該画像形成条件に付与された複数の属性により検索を行って表示手段に画像形成条件の表示を行うようにしている。このため、複数のユーザが使用する場合や、同一ユーザが色々な用途で使用する場合など、画像形成条件毎に適した複数の属性を付与しておくことで、登録されている画像形成条件を読み出す際にも属性の組み合わせから画像形成条件の内容を判断することが容易になる。すなわち、複数の画像形成条件を効率的に管理することが可能な画像形成装置を実現できる。
【図面の簡単な説明】
【図１】本発明の実施の形態例の画像形成装置の電気的な構成を示す機能ブロック図である。
【図２】本発明の実施の形態例における動作状態を示すフローチャートである。
【図３】本発明の実施の形態例における動作状態を示すフローチャートである。
【図４】本発明の実施の形態例における表示画面の説明図である。
【図５】本発明の実施の形態例における表示画面の説明図である。
【図６】本発明の実施の形態例における表示画面の説明図である。
【図７】本発明の実施の形態例における表示画面の説明図である。
【図８】本発明の実施の形態例における表示画面の説明図である。
【図９】本発明の実施の形態例における表示画面の説明図である。
【図１０】本発明の実施の形態例における表示画面の説明図である。
【図１１】本発明の実施の形態例における表示画面の説明図である。
【図１２】画像形成装置のハードキーの配置の説明図である。
【図１３】従来における表示画面の説明図である。
【符号の説明】
１００　画像形成装置
１０１　本体制御部
１０２　操作表示部
１０３　不揮発性メモリ
１０４　スキャナ
１０５　画像処理部
１０６　プリントエンジン
１１０　後処理装置
１１１　後処理制御部
１１２　後処理部
【図１】
2004117969.tif 000003
【図２】
2004117969.tif 000004
【図３】
2004117969.tif 000005
【図４】
2004117969.tif 000006
【図５】
2004117969.tif 000007
【図６】
2004117969.tif 000008
【図７】
2004117969.tif 000009
【図８】
2004117969.tif 000010
【図９】
2004117969.tif 000011
【図１０】
2004117969.tif 000012
【図１１】
2004117969.tif 000013
【図１２】
2004117969.tif 000014
【図１３】
2004117969.tif 000015